(57)【特許請求の範囲】
【請求項１】
液体を圧送するポンプと、該ポンプから圧送された液体を、液体を散布する散布部へ送出する送出路とを備えるポンプ装置において、
前記送出路に連なる第１通路及び第２通路と、
該第１通路及び第２通路に連なり、前記第１通路を介して前記ポンプから供給された液体を噴射し、前記第２通路内を負圧とする吸引部と、
前記第１通路に介装してある開閉弁と、
前記第１通路よりも散布部側にて前記送出路に介装してあり、前記ポンプから送出された液体の送出先を前記散布部へ設定し、前記第２通路を遮断するか又は前記散布部と前記第２通路との連通を行い、前記送出路を遮断する三方弁とを備え、
前記開閉弁及び三方弁の開閉によって、前記第１通路及び第２通路を遮断するか又は前記送出路を遮断し、遮断された送出路のポンプ側と前記第１通路との連通を行い、遮断された送出路の散布部側と前記第２通路との連通を行うようにしてあること
を特徴とするポンプ装置。
【請求項２】
液体を圧送するポンプと、該ポンプから圧送された液体を、液体を散布する散布部へ送出する送出路とを備えるポンプ装置において、
前記送出路に連なる第１通路及び第２通路と、
該第１通路及び第２通路に連なり、前記第１通路を介して前記ポンプから供給された液体を噴射し、前記第２通路内を負圧とする吸引部と、
前記送出路に介装してあり、前記ポンプから送出された液体の送出先を前記散布部へ設定し、前記第１通路及び第２通路をそれぞれ遮断するか又は前記ポンプから送出された液体の送出先を前記第１通路へ設定し、前記散布部と前記第２通路との連通を行う四方弁とを備え、
前記四方弁の開閉によって、前記第１通路及び第２通路を遮断するか又は前記送出路を遮断し、遮断された送出路のポンプ側と前記第１通路との連通を行い、遮断された送出路の散布部側と前記第２通路との連通を行うようにしてあることを特徴とするポンプ装置。
【請求項３】
前記吸引部に液体を排出する排出口を設けてあることを特徴とする請求項１又は２に記載のポンプ装置。                                                    
【発明の詳細な説明】
【技術分野】
【０００１】
本発明は、液体を散布部に送出して散布し、また液体の散布を停止して、散布部とポンプとを連結する管内に残留した液体を抜き取ることができるポンプ装置に関する。
【背景技術】
【０００２】
収穫前の作物は害虫による被害を受けやすい。このため圃場の作物に付着した害虫を駆除するために、圃場の作物に薬液を散布することが一般に行われている。薬液の散布は重労働であるため、近年では、ポンプから送出された薬液をノズルから噴霧するポンプ装置を使用して圃場へ薬液を散布することが多い。
【０００３】
ポンプ装置による圃場への薬液の散布は、畦畔の一の箇所にポンプ装置を設置して行われる。畦畔の一の箇所から圃場へ向けて薬液が散布される範囲は、圃場全体の面積に対して限定的であり、圃場全体に薬液を散布するためには、畦畔の複数箇所から薬液を散布する必要がある。このため作業者は、畦畔の一の箇所から薬液を散布し、ノズルに設けてある開閉弁を閉じて前記一の箇所での散布を終了した後に、タンク内の薬液を送出するポンプと薬液を噴霧するノズルとを連結するホースを引き摺って畦畔の他の箇所に移動し、再度開閉弁を開いて薬液を散布していた。畦畔の一の箇所から他の箇所へ移動する間、ホースの大部分は薬液で満たされた状態で地面に接触しており、またホースには圧力も加わっているので、作業者はホースに生じる大きな摩擦力に抗してホースを引き摺る必要がある。
【０００４】
特許文献１には、ポンプの吸水口とホースとを連通させるための残液戻し用管を備えるポンプ装置が開示してある。該ポンプ装置は、ホース内の薬液を残液戻し用管を介してポンプへ吸い込み、ポンプに連結してある余水管を通して薬液をタンクへ戻すことができる。このため該ポンプ装置を使用することによって、作業者はホース内の薬液をタンクへ戻し、ホース内に残留している薬液の量を低減させて、畦畔の一の箇所から他の箇所へ移動することができる。
【先行技術文献】
【特許文献】
【０００５】
【特許文献１】特開平１０−１３６８６０号公報
【発明の概要】
【発明が解決しようとする課題】
【０００６】
しかし特許文献１に記載のポンプ装置はホース内の薬液をポンプに吸い込ませてタンクへ戻しており、ノズルからホースに流入した空気を吸い込むことでポンプの圧力が低下し、ホース内に多量の薬液が残存するおそれがある。また空気の流入によってポンプが破損するおそれがある。
【０００７】
本発明は斯かる事情に鑑みてなされたものであり、その目的とするところは、ポンプを経由させることなく、ホース内の液体を抜き取ることができるポンプ装置を提供することにある。
【課題を解決するための手段】
【００１０】
本発明に係るポンプ装置は、液体を圧送するポンプと、該ポンプから圧送された液体を、液体を散布する散布部へ送出する送出路とを備えるポンプ装置において、前記送出路に連なる第１通路及び第２通路と、該第１通路及び第２通路に連なり、前記第１通路を介して前記ポンプから供給された液体を噴射し、前記第２通路内を負圧とする吸引部と、前記第１通路に介装してある開閉弁と、前記第１通路よりも散布部側にて前記送出路に介装してあり、前記ポンプから送出された液体の送出先を前記散布部へ設定し、前記第２通路を遮断するか又は前記散布部と前記第２通路との連通を行い、前記送出路を遮断する三方弁とを備え、前記開閉弁及び三方弁の開閉によって、前記第１通路及び第２通路を遮断するか又は前記送出路を遮断し、遮断された送出路のポンプ側と前記第１通路との連通を行い、遮断された送出路の散布部側と前記第２通路との連通を行うようにしてあることを特徴とする。
【００１１】
本発明においては、第１通路に開閉弁を介装し、第１通路よりも散布部側にて前記送出路に三方弁を介装することによって、第１通路を開閉し、前記ポンプから送出された液体の送出先を前記散布部へ設定し、前記第２通路を遮断するか又は前記散布部と前記第２通路との連通を行い、前記送出路を遮断して、送出路内の液体をポンプを経由させずに吸引する流路を必要に応じて設定する。
【００１２】
本発明に係るポンプ装置は、液体を圧送するポンプと、該ポンプから圧送された液体を、液体を散布する散布部へ送出する送出路とを備えるポンプ装置において、前記送出路に連なる第１通路及び第２通路と、該第１通路及び第２通路に連なり、前記第１通路を介して前記ポンプから供給された液体を噴射し、前記第２通路内を負圧とする吸引部と、前記送出路に介装してあり、前記ポンプから送出された液体の送出先を前記散布部へ設定し、前記第１通路及び第２通路をそれぞれ遮断するか又は前記ポンプから送出された液体の送出先を前記第１通路へ設定し、前記散布部と前記第２通路との連通を行う四方弁とを備え、前記四方弁の開閉によって、前記第１通路及び第２通路を遮断するか又は前記送出路を遮断し、遮断された送出路のポンプ側と前記第１通路との連通を行い、遮断された送出路の散布部側と前記第２通路との連通を行うようにしてあることを特徴とする。
【００１３】
本発明においては、送出路に四方弁を介装することによって、ポンプから送出された液体の送出先を散布部へ設定し、第１通路及び第２通路をそれぞれ遮断するか又はポンプから送出された液体の送出先を第１通路へ設定し、散布部と第２通路との連通を行い、送出路内の液体をポンプを経由させずに吸引する流路を必要に応じて設定することができる。
【００１４】
本発明に係るポンプ装置は、前記吸引部に液体を排出する排出口を設けてあることを特徴とする。
【００１５】
本発明においては、吸引部に吸引された送出路内の液体を前記排出口から水源へ排出して再利用する。
【発明の効果】
【００１６】
本発明に係るポンプ装置にあっては、前記第１通路及び第２通路によって、前記送出路と前記吸引部との連通をそれぞれ行い、前記第１通路を介して前記ポンプから吸引部へ液体を供給する。吸引部は供給された液体を噴射し、噴射された液体の周囲に負圧を発生させて、送出路内の液体を第２通路から吸引する。このため送出路内に混入した空気をポンプに送出することなく、送出路内の液体を吸引することができ、ポンプの圧力低下及び破損を回避することができる。
【図面の簡単な説明】
【００１７】
【図１】実施の形態１に係るポンプ装置を示す外観図である。
【図２】実施の形態１に係るポンプ装置の管路を示す回路図である。
【図３】実施の形態２に係るポンプ装置の管路を示す回路図である。
【図４】実施の形態２の変形例に係るポンプ装置の管路を示す回路図である。
【図５】実施の形態３に係るポンプ装置の管路を示す回路図である。
【図６】実施の形態３に係るポンプ装置の四方弁を略示する断面図である。
【発明を実施するための形態】
【００１８】
（実施の形態１）
以下本発明に係るポンプ装置を実施の形態１に係るポンプ装置を示す図面に基づいて詳述する。
図１はポンプ装置を示す外観図である。ポンプ装置は台車１を備えており、該台車１の上に液体を送出するポンプ２と、該ポンプ２を駆動するエンジン３とが固定してある。また台車１には中空円筒形のホースリール４が設けてあり、該ホースリール４には可撓性を有する噴霧ホース４ａが巻き付けてある。ホースリール４の上側には噴霧ホース４ａを案内する筒状のホースガイド５が設けてある。前記エンジン３の出力軸はベルト（図示せず）を介して前記ポンプ２の回転軸に連結しており、またベルト及びトランスミッション（いずれも図示せず）を介してホースリール４の回転軸に連結している。エンジン３の駆動力はポンプ２に伝達され、またホースリール４の回転軸に伝達される。ホースリール４の回転軸の回転方向は、前記トランスミッションにて正方向又は逆方向に設定され、ホースガイド５の案内の下、噴霧ホース４ａの巻き取り及び繰り出しが行われる。
【００１９】
図２はポンプ装置の管路を示す回路図である。
前記ポンプ２の吸込口は、液体、例えば薬液を貯留するタンク６に給水管７を介して連結している。前記ポンプ２の吐出口には可撓性を有する吐出管８の一端部を接続してある。該吐出管８の他端部は、２ポート２位置切換弁スプリングオフセット電磁方式である第１開閉弁９の一のポートに接続してある。該第１開閉弁９の他のポートには可撓性を有する連結ホース１０の一端部を接続してある。該連結ホース１０の他端部は、前記ホースリール４の継手（図示せず）を介して、噴霧ホース４ａの一端部に連結している。前記第１開閉弁９は、励磁されていない場合にばねの弾性力によって開き、励磁されている場合にばねの弾性力に抗して閉じるように構成されている。
【００２０】
前記噴霧ホース４ａの他端には液体を噴霧するノズル１１が接続してある。該ノズル１１の近傍であって、噴霧ホース４ａの中途部には、２ポート２位置切換弁手動レバー方式であるノズル開閉弁１２が介装してある。該ノズル開閉弁１２の手動レバー１２ａを操作して噴霧ホース４ａの開閉が行われる。
【００２１】
ポンプ装置はエジェクタ２０を更に備えている。エジェクタ２０は筐体２０ａを有しており、該筐体２０ａには液体を供給する供給口２０ｂと、液体を排出する排出口２０ｃとが開設してある。筐体２０ａの内部には噴射通路２１が設けてあり、該噴射通路２１の一端は前記供給口２０ｂに連なり、噴射通路２１の他端は排出口２０ｃに対向している。噴射通路２１は一端から他端に向かうに従って、その断面積が小さくなっている。噴射通路２１の側面に対向するように、液体を吸引する吸引口２０ｄが筐体２０ａに開設してある。該吸引口２０ｄから噴射通路２１の他端へ向けて、液体を吸引するための吸引通路２２が延設してある。
【００２２】
前記供給口２０ｂからエジェクタ２０内に供給された液体は噴射通路２１にて加速されて、噴射通路２１の他端から噴射される。該噴射によって、噴射通路２１の他端の周囲には負圧が発生し、前記吸引口２０ｄから吸引通路２２を介してエジェクタ２０内に液体が吸引される。吸引口２０ｄから吸引された液体は噴射された液体と共に前記排出口２０ｃから噴出する。
【００２３】
前記エジェクタ２０の供給口２０ｂには供給管１３の一端部が接続してあり、該供給管１３の他端部は前記吐出管８に連結している。前記供給管１３の中途部には、２ポート２位置切換弁スプリングオフセット電磁方式である第２開閉弁１４が介装してある。該第２開閉弁１４は、励磁されていない場合にばねの弾性力によって閉じ、励磁されている場合にばねの弾性力に抗して開くように構成されている。
【００２４】
前記エジェクタ２０の排出口２０ｃは、液体が通流する通流管１９を介して前記タンク６に連結している。また前記エジェクタ２０の吸引口２０ｄには、吸引管１５の一端部が接続してあり、該吸引管１５の他端部は前記連結ホース１０に連結している。吸引管１５の中途部には２ポート２位置切換弁スプリングオフセット電磁方式である第３開閉弁１６が介装してある。該第３開閉弁１６は、励磁されていない場合にばねの弾性力によって閉じ、励磁されている場合にばねの弾性力に抗して開くように構成されている。
【００２５】
前記吐出管８と前記通流管１９とは余水管１７によって連結されている。該余水管１７には、吐出管８の圧力を制御する圧力制御弁１８が介装してある。前記吐出管８の圧力が所定の圧力以上になった場合に、前記圧力制御弁１８が開き、余水管１７及び通流管１９を介して吐出管８からタンク６へ液体が送出される。なお前記余水管１７は前記通流管１９に連結せずに、タンク６に直結しても良い。
【００２６】
ポンプ装置は図示しない送信機及び受信機を備えており、該送信機から発信された信号を受信機が受信し、受信機から前記第１開閉弁９、第２開閉弁１４、及び第３開閉弁１６に励磁信号又は非励磁信号が出力され、各開閉弁の開閉が行われる。前記送信機及び受信機は無線によって接続されており、送信機は携帯端末機になっている。なお前記送信機及び受信機は有線によって接続されていても良く、送信機はノズル１１付近にて固定されていても良い。
【００２７】
次に前記ノズル１１から液体を噴霧するときのポンプ装置の動作について説明する。なお第１開閉弁９はばねの弾性力によって開いており、第２開閉弁１４及び第３開閉弁１６はばねの弾性力によって閉じているものとする。
【００２８】
前記エンジン３の駆動によって前記ポンプ２に圧力が発生すると、タンク６の液体が吐出管８に送出される。吐出管８に送出された液体は第１開閉弁９及び連結ホース１０を経由して、噴霧ホース４ａを通流し、前記ノズル開閉弁１２に至る。レバーの操作によってノズル開閉弁１２が開くと、液体はノズル１１に送出され噴霧される。なお第２開閉弁１４及び第３開閉弁１６は閉じているので、前記エジェクタ２０の供給口２０ｂ及び吸引口２０ｄに液体は送出されない。
【００２９】
次にポンプ２が駆動している状態で、連結ホース１０及び噴霧ホース４ａ内の液体を回収するときのポンプ装置の動作について説明する。なお前記ポンプ２の圧力によって、タンク６の液体が吐出管８に送出されているものとし、また前記ノズル開閉弁１２は開いているものとする。
送信機の操作によって、前記第１開閉弁９を閉じることを示す信号と、前記第２開閉弁１４及び第３開閉弁１６を開くことを示す信号とが前記受信機に送信されると、受信機から第１開閉弁９、第２開閉弁１４、及び第３開閉弁１６に励磁信号が出力され、第１開閉弁９が閉じ、第２開閉弁１４及び第３開閉弁１６が開く。
【００３０】
前記第１開閉弁９が閉じているので、ポンプ２から吐出管８に送出された液体は、前記供給管１３を通流して前記供給口２０ｂから前記エジェクタ２０内に供給される。エジェクタ２０に供給された液体は加速される。加速された液体の周囲の空間には負圧が発生し、連結ホース１０及び噴霧ホース４ａ内の液体は、第３開閉弁１６及び吸引管１５を介して前記エジェクタ２０の吸引口２０ｄへ吸引される。吸引口２０ｄから吸引された液体は、エジェクタ２０の供給口２０ｂから供給された液体と共に前記排出口２０ｃから送出され、前記通流管１９を通流して、タンク６に戻される。
【００３１】
送信機の操作によって、前記第１開閉弁９を開くことを示す信号と、前記第２開閉弁１４及び第３開閉弁１６を閉じることを示す信号とが前記受信機に送信されると、受信機から第１開閉弁９、第２開閉弁１４、及び第３開閉弁１６に非励磁信号が出力され、第１開閉弁９が開き、第２開閉弁１４及び第３開閉弁１６が閉じて、連結ホース１０及び噴霧ホース４ａ内の液体の吸引が終了する。
【００３２】
実施の形態１に係るポンプ装置にあっては、吐出管８及び連結ホース１０を、第１開閉弁９を介して連結する。また吐出管８とエジェクタ２０の供給口２０ｂとの連通を供給管１３によって行い、該供給管１３に第２開閉弁１４を介装する。また連結ホース１０とエジェクタ２０の吸引口２０ｄとの連通を吸引管１５によって行い、該吸引管１５に第３開閉弁１６を介装する。第１開閉弁９を閉じ、第２開閉弁１４及び第３開閉弁１６を開いて、所定の流路を確実に設定する。そしてタンク６内の液体をポンプ２からエジェクタ２０に供給して、連結ホース１０及び噴霧ホース４ａ内の液体をエジェクタ２０に吸引させてポンプ２を経由させることなく、エジェクタ２０の外へ排出する。これにより連結ホース１０及び噴霧ホース４ａ内に混入した空気がポンプ２に送出されることを防止することができる。また空気の混入によってポンプ２の圧力が低下することが回避され、連結ホース１０及び噴霧ホース４ａ内の液体を略全て回収することができ、噴霧ホース４ａを引き摺るときに発生する摩擦力を大幅に低減させることができる。またエジェクタ２０に吸引された液体を、排出口２０ｃからタンク６へ送出して再利用し、液体を無駄なく使用することができる。またポンプ２の駆動を停止することなく、液体の噴霧作業を一時的に中断して液体の回収を行い、液体の回収後、噴霧作業を速やかに再開することができる。
【００３３】
なお前記ポンプ２と前記エジェクタ２０とを一体に形成し、一体に形成された前記ポンプ２及びエジェクタ２０のハウジングに、前記吐出管８、供給管１３、及び吸引管１５に相当する流路をそれぞれ形成し、吐出管８、供給管１３及び吸引管１５に相当する各流路に第１開閉弁９、第２開閉弁１４及び第３開閉弁１６を設け、吐出管８及び吸引管１５に相当する各流路と連結ホース１０とを連結しても良い。またポンプ装置は、薬液の散布以外の目的で使用しても良く、例えば干ばつに対処するために、貯水池等の水源から水を吸い上げて、ノズル１１から圃場へ噴霧しても良い。
【００３４】
また第１開閉弁９、第２開閉弁１４及び第３開閉弁１６は電磁弁で構成されているが、他の形式の弁、例えば手動レバー式の弁で構成されていても良い。またノズル開閉弁１２は手動レバー式の弁で構成されているが、他の形式の弁、例えば電磁弁で構成されていても良い。また第１開閉弁９、第２開閉弁１４及び第３開閉弁１６は２位置切換弁であるが、中立位置を備える３位置切替弁ノースプリング形・ダブルソレノイドとしても良い。またノズル１１は液体を噴霧する構成であるが、液体を霧状にすることなく噴射する構成であっても良い。
【００３５】
（実施の形態２）
以下本発明を実施の形態２に係るポンプ装置を示す図面に基づいて詳述する。図３はポンプ装置の管路を示す回路図である。
前記ポンプ２の吐出口には吐出管８の一端部を接続してある。該吐出管８の他端部は、図３に示すように、３ポート２位置切換弁スプリングオフセット電磁方式である三方弁３１の一のポートに接続してある。該三方弁３１の他の二つのポートには、連結ホース１０の一端部及び供給管１３の他端部をそれぞれ接続してある。三方弁３１は、励磁されていない場合にばねの弾性力によって、吐出管８を接続してあるポートと連結ホース１０を接続してあるポートとが連通すると共に供給管１３を接続してあるポートが閉じる。また三方弁３１は、励磁されている場合にばねの弾性力に抗して、吐出管８を接続してあるポートと供給管１３を接続してあるポートと連通すると共に連結ホース１０を接続してあるポートが閉じるように構成されている。
【００３６】
ノズル１１から液体を噴霧するときには、送信機を操作して、受信機から三方弁３１及び第３開閉弁１６へ非励磁信号を出力する。該非励磁信号によって、吐出管８と連結ホース１０とが接続され、供給管１３と吸引管１５とが閉じる。一方連結ホース１０及び噴霧ホース４ａ内の液体を吸引するときには、送信機を操作して、受信機から三方弁３１及び第３開閉弁１６へ励磁信号を出力する。該励磁信号によって吐出管８と供給管１３とが接続され、連結ホース１０と吸引管１５とが接続される。
【００３７】
実施の形態２に係るポンプ装置にあっては、簡素な構成にて、前記タンク６内の液体をポンプ２からエジェクタ２０に供給し、連結ホース１０及び噴霧ホース４ａ内の液体をエジェクタ２０に吸引させることができる。またエジェクタ２０にて吸引した液体をポンプ２を経由させることなくタンク６へ戻すことができる。
【００３８】
次に実施の形態２に係るポンプ装置の変形例について説明する。図４はポンプ装置の管路を示す回路図である。
前記吐出管８の他端部は、図４に示すように、３ポート２位置切換弁スプリングオフセット電磁方式である三方弁３２の一のポートに接続してある。該三方弁３２の他の二つのポートには、連結ホース１０の一端部及び吸引管１５の他端部をそれぞれ接続してある。三方弁３２は、励磁されていない場合にばねの弾性力によって、吐出管８を接続してあるポートと連結ホース１０を接続してあるポートとが連通すると共に吸引管１５を接続してあるポートが閉じる。また三方弁３２は、励磁されている場合にばねの弾性力に抗して、連結ホース１０を接続してあるポートと吸引管１５を接続してあるポートとが連通すると共に吐出管８を接続してあるポートが閉じるように構成されている。
【００３９】
連結ホース１０及び噴霧ホース４ａ内の液体を吸引するときには、送信機の操作して、受信機から三方弁３２及び第３開閉弁１６へ励磁信号を出力する。該励磁信号の出力によって、吐出管８と供給管１３とが接続され、連結ホース１０と吸引管１５とが接続される。一方ノズル１１から液体を噴霧するときには、送信機を操作して、受信機から連結ホース吸引管切換弁及び第２開閉弁１４へ非励磁信号を出力する。該非励磁信号によって、吐出管８と連結ホース１０とが接続され、吸引管１５と供給管１３とが閉じる。
【００４０】
実施の形態２に係るポンプ装置及びその変形例の構成の内、実施の形態１と同様な構成については同じ符号を付し、その詳細な説明を省略する。
【００４１】
（実施の形態３）
以下本発明を実施の形態３に係るポンプ装置を示す図面に基づいて詳述する。図５はポンプ装置の管路を示す回路図である。
【００４２】
前記吐出管８の他端部は、図５に示すように、４ポート２位置切換弁スプリングオフセット電磁方式である四方弁４０のポートＰに接続してある。該四方弁４０のポートＡ、ポートＢ及びポートＣには、それぞれ連結ホース１０の一端部、供給管１３の他端部、及び吸引管１５の他端部がそれぞれ接続してある。
【００４３】
図６は四方弁４０を略示する断面図である。図６（ａ）はコイルが励磁されていない状態での四方弁４０を示しており、図６（ｂ）はコイルが励磁されている状態での四方弁４０を示している。
四方弁４０はシリンダ４１を備えており、該シリンダ４１には、図６に示すように、ポートＢ、ポートＰ、ポートＡ及びポートＣが、シリンダ４１の軸長方向に沿ってこの順に並設してある。シリンダ４１内には円筒形のスプール４１ａが設けてある。該スプール４１ａの中央部は小径になっており、スプール４１ａの両端部は大径になっている。
【００４４】
前記スプール４１ａの一端部とポートＢ側のシリンダ４１の端面とは、引張ばね４１ｂによって連結されている。スプール４１ａの他端部には、スプール４１ａの軸方向に沿ってロッド４１ｃが固定してある。該ロッド４１ｃは、ポートＣ側のシリンダ４１の端面に開設してある貫通孔４１ｄから外側に突出している。ロッド４１ｃの突出端部には可動鉄心としてのプランジャ４２が固定してある。該プランジャ４２の周囲にはコイル４３が配置してある。
【００４５】
コイル４３が励磁されていない状態では、図６（ａ）に示すように、引張ばね４１ｂの弾性力によってスプール４１ａはポートＢ寄りに位置する。ポートＰ及びポートＢはスプール４１ａの一端部によって隔絶され、ポートＡ及びポートＣはスプール４１ａの他端部によって隔絶される。このためポートＰとポートＡとが連通し、ポートＢはスプール４１ａの一端部及びシリンダ４１の壁によって閉じられ、ポートＣはスプール４１ａの他端部及びシリンダ４１の壁によって閉じられる。
【００４６】
コイル４３が励磁されている状態では、図６（ｂ）に示すように、プランジャ４２は電磁力によってシリンダ４１から離反し、ポートＰ及びポートＡがスプール４１ａの一端部によって隔絶される。またスプール４１ａの他端部がコイル４３側へ移動し、ポートＣを通過する。このためポートＰとポートＢとが連通し、ポートＡとポートＣとが連通する。このとき引張ばね４１ｂは伸長している。
【００４７】
ノズル１１から液体を噴霧している状態から、連結ホース１０及び噴霧ホース４ａ内の液体を吸引する状態へ切り換えるときには、送信機を操作して、受信機から四方弁４０へ励磁信号を出力させ、ポートＰとポートＢとを連通させると共に、ポートＡとポートＣとを連通させる。このとき図６（ｂ）において矢印にて示すように、ポートＰからポートＢへ液体が通流して、吐出管８から供給管１３へ液体が送出され、またポートＡからポートＣへ液体が通流して、連結ホース１０の液体が吸引管１５に吸引される。
【００４８】
一方連結ホース１０及び噴霧ホース４ａ内の液体を吸引している状態から、ノズル１１から液体を噴霧している状態へ切り換えるときには、送信機を操作して、受信機から四方弁４０へ非励磁信号を出力させ、ポートＰとポートＡとを連通させると共に、ポートＢとポートＣとを閉じる。このとき図６（ａ）において矢印にて示すように、ポートＰからポートＡへ液体が通流し、吐出管８から連結ホース１０へ液体が送出される。
【００４９】
実施の形態３に係るポンプ装置にあっては、四方弁４０を操作するだけで、エジェクタ２０に吸引された液体をポンプ２を経由させずにタンク６へ戻す流路を設定することができ、液体を回収する流路を容易に設定することができる。また液体を吸引するために使用する弁を一つにすることで管路が単純化され、配管が容易になる。
【００５０】
実施の形態３に係るポンプ装置及びその変形例の構成の内、実施の形態１又は２と同様な構成については同じ符号を付し、その詳細な説明を省略する。
【符号の説明】
【００５１】
２  ポンプ
４  ホースリール
４ａ  噴霧ホース（送出路）
６  タンク
８  吐出管（送出路）
９  第１開閉弁
１０  連結ホース（送出路）
１２  ノズル開閉弁
１２ａ  手動レバー
１３  供給管（第１通路）
１４  第２開閉弁
１５  吸引管（第２通路）
１６  第３開閉弁
１９  通流管
２０  エジェクタ（吸引部）
２０ｂ  供給口
２０ｃ  排出口
２０ｄ  吸引口
３１  三方弁
３２  三方弁
４０  四方弁
【図１】
0005531131.tif 000002
【図２】
0005531131.tif 000003
【図３】
0005531131.tif 000004
【図４】
0005531131.tif 000005
【図５】
0005531131.tif 000006
【図６】
0005531131.tif 000007